(57)【特許請求の範囲】
【請求項１】
少なくとも情報を表示するための複数の画素または当該画素を構成する複数の画素要素を配列した表示面を有する表示体であって、
前記表示面の面上に配置された透明構造体を備え、
前記透明構造体は、前記表示面に沿って配列された複数の微小ミラーを有し、
前記各微小ミラーは、隣り合う前記画素間またはその付近から突出するように配列され、且つ、隣り合う前記画素に面した両面で光反射性であるとともに前記表示面に接する部分から表示体の表面に至るまでの全面が光反射性であり、
前記各微小ミラーのピッチは、前記画素のピッチまたは前記画素要素のピッチの整数倍であることを特徴とする表示体。
【請求項２】
前記各微小ミラーは、金属ミラーであることを特徴とする請求項１に記載した表示体。
【請求項３】
前記各微小ミラーは、前記透明構造体内部への入射光を透明構造体と空気との界面で反射する空気ミラーであることを特徴とする請求項１に記載した表示体。
【請求項４】
前記各微小ミラーは、前記表示面と直交する方向から見て線状に形成され、且つ前記画素二列分のピッチで配列され、
複数の第一画素により形成された第一画素列と複数の第二画素により形成された第二画素列が、前記各微小ミラーの配列方向に沿って交互に配置され、
前記表示面と直交する方向に対して前記各微小ミラーの配列方向へ傾斜した第一方向から、前記第一画素から放射された直接光及び第一画素から放射され前記微小ミラーで反射された１回反射光の両方からなる第一画像が観察され、前記表示面と直交する方向に対して前記第一方向と反対側へ傾斜した第二方向から、前記第二画素から放射された直接光及び第二画素から放射され前記微小ミラーで反射された１回反射光の両方からなる第二画像が観察されることを特徴とする請求項１から請求項３のうちいずれか１項に記載した表示体。
【請求項５】
前記表示面は、反射型表示面であり、
前記各微小ミラーは、前記表示面と直交する方向から見て線状に形成され、且つ前記画素二列分のピッチで配列され、
複数の第一画素により形成された第一画素列と複数の第二画素により形成された第二画素列が、前記各微小ミラーの配列方向に沿って交互に配置され、
前記表示面と直交する方向に対して前記各微小ミラーの配列方向へ傾斜した第一方向から表示面へ光が入射した場合に、前記第一画素からなる第一画像が前記表示面と直交する方向から観察され、前記表示面と直交する方向に対して前記第一方向と反対側へ傾斜した第二方向から表示面へ光が入射した場合に、前記第二画素からなる第二画像が前記表示面と直交する方向から観察されることを特徴とする請求項１から請求項３のうちいずれか１項に記載した表示体。
【請求項６】
前記表示面は、反射型表示面であり、
前記各微小ミラーは、前記表示面と直交する方向から見て格子状に形成され、且つ前記画素二行二列分のピッチで配列され、
前記各微小ミラーが形成する格子状の領域内において、第一画素、第二画素、第三画素及び第四画素が、前記表示面と直交する方向から見て規則的に配置され、
前記表示面と直交する方向よりも右下方から表示面へ光が入射した場合に、前記第一画素からなる第一画像が前記表示面と直交する方向から観察され、前記表示面と直交する方向よりも左下方から表示面へ光が入射した場合に、前記第二画素からなる第二画像が前記表示面と直交する方向から観察され、前記表示面と直交する方向よりも右上方から表示面へ光が入射した場合に、前記第三画素からなる第三画像が前記表示面と直交する方向から観察され、前記表示面と直交する方向よりも左上方から表示面へ光が入射した場合に、前記第四画素からなる第四画像が前記表示面と直交する方向から観察されることを特徴とする請求項１から請求項３のうちいずれか１項に記載した表示体。
【請求項７】
前記表示面は、反射型表示面であり、
前記各微小ミラーは、前記表示面と直交する方向から見て格子状に形成され、且つ前記画素二行二列分のピッチで配列され、
前記各微小ミラーが形成する格子状の領域内において、色の異なる複数の前記画素要素が、前記表示面と直交する方向から見て規則的に配置され、
前記表示面と直交する方向よりも右下方、左下方、右上方及び左上方から表示面へ前記画素要素に応じた色の光がそれぞれ入射した場合に、色の異なる複数の前記画素要素をモノクロ表示した複数色のモノクロ画像からなるカラー画像が、前記表示面と直交する方向から観察されることを特徴とする請求項１から請求項３のうちいずれか１項に記載した表示体。
【請求項８】
前記各微小ミラーが形成する格子状の領域内において、赤色のモノクロ画像をモノクロ表示する赤色画素要素、緑色のモノクロ画像をモノクロ表示する緑色画素要素、青色のモノクロ画像をモノクロ表示する青色画素要素、白色のモノクロ画像をモノクロ表示する白色画素要素が、前記表示面と直交する方向から見て規則的に配置され、
前記表示面と直交する方向よりも右下方から表示面へ赤色の照射光が入射し、前記表示面と直交する方向よりも左下方から表示面へ緑色の照射光が入射し、前記表示面と直交する方向よりも右上方から表示面へ青色の照射光が入射し、前記表示面と直交する方向よりも左上方から表示面へ白色の照射光が入射した場合に、前記赤色のモノクロ画像、前記緑色のモノクロ画像、前記青色のモノクロ画像及び前記白色のモノクロ画像からなるカラー画像が、前記表示面と直交する方向から観察されることを特徴とする請求項７に記載した表示体。
【請求項９】
前記各微小ミラーは、隣り合う前記画素間またはその付近から垂直に突出していることを特徴とする請求項１から請求項８のうちいずれか１項に記載した表示体。
【請求項１０】
前記各微小ミラーは、隣り合う前記画素間またはその付近から前記表示面と直交する方向から傾斜して突出していることを特徴とする請求項１から請求項８のうちいずれか１項に記載した表示体。
【請求項１１】
前記透明構造体は、複数の直方体を並べて形成され、
前記各微小ミラーは、前記各直方体の前記表示面と直交する２つの側面の全面に形成されていることを特徴とする請求項１から請求項１０のうちいずれか１項に記載した表示体。
【発明の詳細な説明】
【技術分野】
【０００１】
本発明は、表示体、特に、光の入射方向や観察方向によって異なる表示を行うことが可能な表示体に関する。
【背景技術】
【０００２】
従来から、情報表示体として、ポスターや看板等の安価で重要な情報表示体がある。しかしながら、ポスターや看板等には、一種類の画像しか表示できないという欠点がある。
これに対し、近年では、多種類の画像を表示可能な情報表示体として、バックライトを持たない、反射型の液晶表示装置や電気泳動表示装置を用いた、電子看板が開発されている。
【０００３】
このような電子看板は、消費電力が小さいという利点と、明るい場所で見やすいという利点を有するが、暗い場所では、明度やコントラストが不十分であり、外部照明を利用することになる。
さらに、多種類の画像を表示可能な情報表示体としては、発光型のディスプレイとして、バックライトを有する透過型液晶表示装置や、自発光の有機ＥＬやプラズマディスプレイ等が実用化されている。
【０００４】
そして、上記の透過型液晶表示装置やディスプレイに、例えば、図２１中に示すレンチキュラーレンズ２４（特許文献１参照）を組み合わせて、専用眼鏡を必要とせずに、立体的な表示が可能な３Ｄディスプレイが開発されている。なお、図２１は、従来技術の表示体を示す図である。また、図２１中では、表示光を、符号Ｖにより示し、観察者の目を、符号「Ｅ」により示している。
【０００５】
また、上記のレンチキュラーレンズ以外に、上記の透過型液晶表示装置やディスプレイに、例えば、図２２中に示すパララックスバリア２６（特許文献２参照）を組み合わせて、専用眼鏡を必要とせずに、立体的な表示が可能な３Ｄディスプレイが開発されている。なお、図２２は、従来技術の表示体を示す図である。また、図２２中では、表示光を、符号Ｖにより示し、観察者の目を、符号「Ｅ」により示している。
【先行技術文献】
【特許文献】
【０００６】
【特許文献１】特公昭５８−６９３４号公報
【特許文献２】特許第３００５６５９号公報
【発明の概要】
【発明が解決しようとする課題】
【０００７】
しかしながら、上述したレンチキュラーレンズには、曲面形状を精度よく作製することが困難であるという問題と、収差があるという問題と、凹凸部にゴミが溜まりやすいという問題がある。
また、上述したパララックスバリアには、光を遮断するために無効光が多くて暗いという問題がある。
本発明では、高精度の作製が容易であり、収差が少なく、表面が汚れにくく、複数画像を表示可能な表示体や、立体表示を行うことが可能な表示体、カラー画像表示を行うことが可能な表示体を提供することを課題とする。
【課題を解決するための手段】
【０００８】
上記課題を解決するために、本発明のうち、請求項１に記載した発明は、少なくとも情報を表示するための複数の画素または当該画素を構成する複数の画素要素を配列した表示面を有する表示体であって、
前記表示面の面上に配置された透明構造体を備え、
前記透明構造体は、前記表示面に沿って配列された複数の微小ミラーを有し、
前記各微小ミラーは、隣り合う前記画素間またはその付近から突出するように配列され、且つ、隣り合う前記画素に面した両面で光反射性であるとともに前記表示面に接する部分から表示体の表面に至るまでの全面が光反射性であり、
前記各微小ミラーのピッチは、前記画素のピッチまたは前記画素要素のピッチの整数倍であることを特徴とするものである。
【０００９】
次に、本発明のうち、請求項２に記載した発明は、請求項１に記載した発明であって、前記各微小ミラーは、金属ミラーであることを特徴とするものである。
次に、本発明のうち、請求項３に記載した発明は、請求項１に記載した発明であって、前記各微小ミラーは、前記透明構造体内部への入射光を透明構造体と空気との界面で反射する空気ミラーであることを特徴とするものである。
【００１０】
次に、本発明のうち、請求項４に記載した発明は、請求項１から請求項３のうちいずれか１項に記載した発明であって、前記各微小ミラーは、前記表示面と直交する方向から見て線状に形成され、且つ前記画素二列分のピッチで配列され、
複数の第一画素により形成された第一画素列と複数の第二画素により形成された第二画素列が、前記各微小ミラーの配列方向に沿って交互に配置され、
前記表示面と直交する方向に対して前記各微小ミラーの配列方向へ傾斜した第一方向から、前記第一画素から放射された直接光及び第一画素から放射され前記微小ミラーで反射された１回反射光の両方からなる第一画像が観察され、前記表示面と直交する方向に対して前記第一方向と反対側へ傾斜した第二方向から、前記第二画素から放射された直接光及び第二画素から放射され前記微小ミラーで反射された１回反射光の両方からなる第二画像が観察されることを特徴とするものである。
【００１１】
次に、本発明のうち、請求項５に記載した発明は、請求項１から請求項３のうちいずれか１項に記載した発明であって、前記表示面は、反射型表示面であり、
前記各微小ミラーは、前記表示面と直交する方向から見て線状に形成され、且つ前記画素二列分のピッチで配列され、
複数の第一画素により形成された第一画素列と複数の第二画素により形成された第二画素列が、前記各微小ミラーの配列方向に沿って交互に配置され、
前記表示面と直交する方向に対して前記各微小ミラーの配列方向へ傾斜した第一方向から表示面へ光が入射した場合に、前記第一画素からなる第一画像が前記表示面と直交する方向から観察され、前記表示面と直交する方向に対して前記第一方向と反対側へ傾斜した第二方向から表示面へ光が入射した場合に、前記第二画素からなる第二画像が前記表示面と直交する方向から観察されることを特徴とするものである。
【００１３】
次に、本発明のうち、請求項６に記載した発明は、請求項１から請求項３のうちいずれか１項に記載した発明であって、前記表示面は、反射型表示面であり、
前記各微小ミラーは、前記表示面と直交する方向から見て格子状に形成され、且つ前記画素二行二列分のピッチで配列され、
前記各微小ミラーが形成する格子状の領域内において、第一画素、第二画素、第三画素及び第四画素が、前記表示面と直交する方向から見て規則的に配置され、
前記表示面と直交する方向よりも右下方から表示面へ光が入射した場合に、前記第一画素からなる第一画像が前記表示面と直交する方向から観察され、前記表示面と直交する方向よりも左下方から表示面へ光が入射した場合に、前記第二画素からなる第二画像が前記表示面と直交する方向から観察され、前記表示面と直交する方向よりも右上方から表示面へ光が入射した場合に、前記第三画素からなる第三画像が前記表示面と直交する方向から観察され、前記表示面と直交する方向よりも左上方から表示面へ光が入射した場合に、前記第四画素からなる第四画像が前記表示面と直交する方向から観察されることを特徴とするものである。
【００１４】
次に、本発明のうち、請求項７に記載した発明は、請求項１から請求項３のうちいずれか１項に記載した発明であって、前記表示面は、反射型表示面であり、
前記各微小ミラーは、前記表示面と直交する方向から見て格子状に形成され、且つ前記画素二行二列分のピッチで配列され、
前記各微小ミラーが形成する格子状の領域内において、色の異なる複数の前記画素要素が、前記表示面と直交する方向から見て規則的に配置され、
前記表示面と直交する方向よりも右下方、左下方、右上方及び左上方から表示面へ前記画素要素に応じた色の光がそれぞれ入射した場合に、色の異なる複数の前記画素要素をモノクロ表示した複数色のモノクロ画像からなるカラー画像が、前記表示面と直交する方向から観察されることを特徴とするものである。
【００１５】
次に、本発明のうち、請求項８に記載した発明は、請求項７に記載した発明であって、前記各微小ミラーが形成する格子状の領域内において、赤色のモノクロ画像をモノクロ表示する赤色画素要素、緑色のモノクロ画像をモノクロ表示する緑色画素要素、青色のモノクロ画像をモノクロ表示する青色画素要素、白色のモノクロ画像をモノクロ表示する白色画素要素が、前記表示面と直交する方向から見て規則的に配置され、
前記表示面と直交する方向よりも右下方から表示面へ赤色の照射光が入射し、前記表示面と直交する方向よりも左下方から表示面へ緑色の照射光が入射し、前記表示面と直交する方向よりも右上方から表示面へ青色の照射光が入射し、前記表示面と直交する方向よりも左上方から表示面へ白色の照射光が入射した場合に、前記赤色のモノクロ画像、前記緑色のモノクロ画像、前記青色のモノクロ画像及び前記白色のモノクロ画像からなるカラー画像が、前記表示面と直交する方向から観察されることを特徴とするものである。
【００１６】
次に、本発明のうち、請求項９に記載した発明は、請求項１から請求項８のうちいずれか１項に記載した発明であって、前記各微小ミラーは、隣り合う前記画素間またはその付近から垂直に突出していることを特徴とするものである。
次に、本発明のうち、請求項１０に記載した発明は、請求項１から請求項８のうちいずれか１項に記載した発明であって、前記各微小ミラーは、隣り合う前記画素間またはその付近から前記表示面と直交する方向から傾斜して突出していることを特徴とするものである。
【００１７】
次に、本発明のうち、請求項１１に記載した発明は、請求項１から請求項１０のうちいずれか１項に記載した発明であって、前記透明構造体は、複数の直方体を並べて形成され、
前記各微小ミラーは、前記各直方体の前記表示面と直交する２つの側面の全面に形成されていることを特徴とするものである。
【発明の効果】
【００１８】
本発明によれば、高精度の作製が容易であり、収差が少なく、表面が汚れにくく、複数画像を表示可能な表示体や、立体表示を行うことが可能な表示体、カラー画像表示を行うことが可能な表示体を提供することが可能となる。
【図面の簡単な説明】
【００１９】
【図１】本発明の第一実施形態における表示体の概略構成を示す図である。
【図２】本発明の第一実施形態における表示体の詳細な構成を示す図である。
【図３】表示体への光の照射方法を示す図である。
【図４】本発明の第一実施形態の変形例における表示体の概略構成を示す図である。
【図５】本発明の第一実施形態の変形例における表示体の詳細な構成を示す図である。
【図６】本発明の第一実施形態の変形例における表示体の詳細な構成を示す図である。
【図７】本発明の第一実施形態の変形例における表示体の詳細な構成を示す図である。
【図８】本発明の第一実施形態の変形例における表示体の詳細な構成を示す図である。
【図９】本発明の第二実施形態における表示体の概略構成を示す図である。
【図１０】本発明の第三実施形態における表示体の概略構成を示す図である。
【図１１】表示体への光の照射方法を示す図である。
【図１２】本発明の第四実施形態における表示体の概略構成を示す図である。
【図１３】本発明の第四実施形態における表示体の詳細な構成を示す図である。
【図１４】表示体への光の照射方法を示す図である。
【図１５】本発明の第四実施形態の変形例における表示体の詳細な構成を示す図である。
【図１６】本発明の第四実施形態の変形例における表示体の詳細な構成を示す図である。
【図１７】本発明の第四実施形態の変形例における表示体の詳細な構成を示す図である。
【図１８】本発明の第四実施形態の変形例における表示体の詳細な構成を示す図である。
【図１９】本発明の第五実施形態における表示体の概略構成を示す図である。
【図２０】表示体への光の照射方法を示す図である。
【図２１】従来技術の表示体を示す図である。
【図２２】従来技術の表示体を示す図である。
【発明を実施するための形態】
【００２０】
（第一実施形態）
以下、本発明の第一実施形態（以下、「本実施形態」と記載する）について、図面を参照しつつ説明する。
（構成）
まず、図１及び図２を用いて、本実施形態の表示体１の構成を説明する。なお、図１は、本実施形態における表示体１の概略構成を示す図である。また、図２は、本実施形態における表示体１の詳細な構成を示す図である。
【００２１】
図１及び図２中に示すように、本実施形態の表示体１は、表示面４と、透明構造体６を備えている。
表示面４は、複数の画素２（第一画素２ａ、第二画素２ｂ）を配列して形成されている。
複数の画素２は、少なくとも情報（画像等）を表示するための構成であり、第一画素２ａと、第二画素２ｂから形成されている。なお、図１中では、第一画素２ａを示す領域に符号「ａ」を付し、第二画素２ｂを示す領域に符号「ｂ」を付している。
透明構造体６は、表示面４の面（図１（ａ）及び（ｂ）中では、下側の面）上に配置されている。
ここで、特に図示しないが、透明構造体６の表面に、反射防止膜などの光学構造を形成してもよい。
【００２２】
また、透明構造体６は、表示面４に沿って配列された複数の微小ミラー１０を有している。
具体的には、透明構造体６の内部に、隣り合う画素２間またはその付近から突出するように配置した複数個の微小ミラー１０を、表示面４と直交する方向から見て線状に形成し、さらに、画素２二列分のピッチで配列する（図２（ａ）、（ｂ）参照）。なお、図２（ｂ）は、図２（ａ）のＢ線矢視図である。この構成は、透明構造体６を、複数個の透明直方体１２により形成し、各微小ミラー１０を、透明直方体１２の側面のうち、対向する二つの面に配置して実現する。
ここで、本実施形態では、一例として、微小ミラー１０を、金属ミラーとした場合について説明する。
【００２３】
また、透明構造体６は、複数の透明直方体１２（請求項に記載した「直方体」に対応）を並べて形成されている。具体的には、隣り合う透明直方体１２同士を、微小ミラー１０を間に挟んで互いに近接させて、透明構造体６を形成している。ここで、本実施形態では、透明直方体１２を、対向する面同士が平行な直方体とする。
また、微小ミラー１０は、各透明直方体１２の表示面４と直交する面に、光を反射する反射面が形成されている。すなわち、各微小ミラー１０は、各透明直方体１２の表示面４と直交する面に形成されている。
ここで、透明直方体１２としては、例えば、ガラス、アクリル、エポキシ、ポリカーボネート、ゼオノア等の樹脂を用いる。
【００２４】
また、透明直方体１２の製法としては、例えば、射出成型、レーザ加工、切削・研磨等を用いる。この場合、ミラーに用いる金属としては、例えば、Ａｌ、Ａｇ、Ｎｉ、Ｔａ、Ｎｂ等を用いることが可能であり、成膜法としては、例えば、真空蒸着やスパッタ等を用いることができる。
また、微小ミラー１０のピッチは、画素２のピッチの整数倍となっている。ここで、「画素２のピッチ」とは、ピクセルのピッチと同意義である。
【００２５】
また、図１（ｃ）中に示すように、複数の第一画素２ａは、第一画素列８ａを形成しており、複数の第二画素２ｂは、第二画素列８ｂを形成している。なお、図１（ｃ）は、図１（ａ）のＣ線矢視図である。
第一画素列８ａと第二画素列８ｂは、各微小ミラー１０の配列方向に沿って、交互に配置されている。
【００２６】
（表示面４に表示された画像の見え方）
図１（ａ）中に示すように、表示面４の右方（角度α’）から観察した場合、ｔａｎα＝ｐ／ｈ付近では、第一画素２ａからの直接光（角度α）及び微小ミラー１０における１回の反射光（角度α）のみが見えるため、観察者からは、第一画素２ａからなる第一画像のみが観察される。これは、ｎ１ｓｉｎα’＝ｎ２ｓｉｎαの関係を前提とする。なお、図１（ａ）中には、観察者の目を、符号「Ｅ」により示している。また、図１（ａ）中には、第一画像を形成する表示光を、符号Ｖにより示している。
ここで、上記の「ｐ」は、画素２の幅であり、上記の「ｈ」は、微小ミラー１０の幅である。また、上記の「ｎ１」は、空気の屈折率であり、上記の「ｎ２」は、透明構造体６の屈折率である。
【００２７】
また、図１（ｂ）中に示すように、表示面４の左方から観察した場合、第二画素２ｂからの直接光及び微小ミラー１０における１回の反射光が見えるため、観察者からは、第二画素２ｂからなる第二画像のみが観察される。なお、図１（ｂ）中には、図１（ａ）と同様、観察者の目を、符号「Ｅ」により示している。また、図１（ｂ）中には、第二画像を形成する表示光を、符号Ｖにより示している。
【００２８】
また、特に図示しないが、表示面４の正面、すなわち、表示面と直交する方向から表示面４を観察すると、観察者からは、第一画像と第二画像とを合成した画像が観察される。
なお、上述した「表示面４の右方」とは、表示面４と直交する方向に対して、各微小ミラー１０の配列方向へ傾斜した方向である、「第一方向」に対応する。
また、上述した「表示面４の左方」とは、表示面４と直交する方向に対して、第一方向と反対側へ傾斜した第二方向に対応する。
なお、図１中に示すように、本実施形態の表示体１では、第一画像と第二画像との間に、画像の非表示領域は存在していない。
【００２９】
（表示体１への光の照射方法）
以下、図１及び図２を参照しつつ、図３を用いて、表示体１への光の照射方法について説明する。なお、図３は、表示体１への光の照射方法を示す図である。
本実施形態の表示体１が、例えば、通路の壁に貼ってある場合、表示体１の右方から来る観察者には、上述した第一画像のみが見え、表示体１の左方から来る観察者には、上述した第二画像のみが見えることとなる。
このような用途では、表示面４が反射型表示体の場合、反射型表示体は光源を持たないため、入射光と表示光の両方が重要であり、照射光１４の入射方向や、観察者による観察方向を想定する必要がある。
【００３０】
したがって、表示面４が反射型表示体の場合、第一画素２ａも第二画素２ｂも同等に光を受ける必要があるため、照射光１４は、図３（ａ）や（ｂ）中に示すように、上〜正面〜下を含む面内の、いずれかの方向から照射することが好適である。また、図３（ｃ）中に示すように、複数の光源１６を用いて、左右対称の位置から、照射光１４を照射してもよい。
一方、表示面４が発光型表示体の場合、照射光１４は不要である。なお、透過型液晶も含めた発光型表示体では、表示光が重要であり、観察方向を想定する必要がある。
なお、本実施形態の表示体１を、例えば、９０［°］回転させて設置することにより、上から見た場合と下から見た場合で異なる画像を表示することも可能である。
【００３１】
（作用）
以下、図１から図３を参照して、本実施形態の作用について記載する。
本実施形態の表示体１では、表示面４として印刷物を用いた場合、観察者による観察方向や照射光１４の照射方向によって、異なる画像を観察することが可能なポスターを形成することが可能となる。
また、表示面４として電子看板を用いた場合、観察者による観察方向や照射光１４の照射方向によって、異なる画像を観察することが可能な電子看板を形成することが可能となる。
【００３２】
また、表示面４として発光型表示体を用いた場合、観察者による観察方向や照射光１４の照射方向によって、異なる画像を観察することが可能な発光型ディスプレイを形成することが可能となる。
ここで、表示面４が有する画素２が粗い場合、透明直方体１２は、表示面４上に並べるか、透明接着剤・粘着剤や、透明な両面テープで貼り合わせればよい。
一方、表示面４が有する画素２が細かい場合、透明直方体１２同士を透明な接着剤等で貼り合わせ、表面を研磨したものを、表示体１の前面板として用いることも可能である。
【００３３】
（第一実施形態の効果）
以下、本実施形態の効果を列挙する。
（１）本実施形態の表示体１は、透明構造体６及び微小ミラー１０が、共に、平面で構成されているため、曲面を作製する場合と比較して、高い面精度を容易に得ることが可能となるため、高精度の作製が容易となる。
（２）本実施形態の表示体１は、上述した従来技術のように、レンズを組み合わせる構成ではないため、収差を少なくすることが可能となる。
（３）本実施形態の表示体１は、表面が平面であることにより、ゴミが溜まりにくくなり、表面が汚れにくいため、汚れによる明度の低下を減少させることが可能となる。
【００３４】
（変形例）
以下、本実施形態の変形例を列挙する。
（１）本実施形態の表示体１では、第一画像と第二画像との間に、画像の非表示領域は存在していないが、これに限定するものではなく、例えば、図４中に示すように、第一画像と第二画像との間に、非表示領域が存在してもよい。なお、図４は、本実施形態の変形例における表示体１の概略構成を示す図である。また、図４中には、図１（ａ）と同様、観察者の目を、符号「Ｅ」により示している。さらに、図４中には、図１（ａ）と同様、第一画像を形成する表示光を、符号Ｖにより示している。
ここで、例えば、画素２の幅ｐのうちの両側ｐｎが非表示領域の場合、すなわち、表示面４の幅がｐ−２ｐｎであり、非表示の幅が２ｐｎの場合、（ｐ−ｐｎ）／ｈ＜＝ｔａｎα＜＝（ｐ＋ｐｎ）／ｈの条件下において、観察者には、第一画像のみが見えることとなる。
【００３５】
（２）本実施形態の表示体１では、各透明直方体１２の表示面４と直交する面、すなわち、表示面４と垂直（９０［°］）に、反射面が形成されているが、これに限定するものではない。すなわち、上記の「垂直方向」は、厳密に９０［°］である必要は無く、反射面により第一画像と第二画像の表示が区別できる角度であれば良い。
（３）本実施形態の表示体１では、隣り合う透明直方体１２を、微小ミラー１０を間に挟んで互いに近接させて、透明構造体６を形成したが、これに限定するものではない。すなわち、例えば、図５中に示すように、予め、表示面４上に、透明直方体１２を所定の間隔で配置するためのスペーサ１８を複数個形成しておき、隣り合うスペーサ１８の間に透明直方体１２を配置して、透明構造体６を形成してもよい。なお、図５は、本実施形態の変形例における表示体１の詳細な構成を示す図である。
【００３６】
（４）本実施形態の表示体１では、微小ミラー１０を、金属ミラーとしたが、これに限定するものではなく、微小ミラー１０を、図６中に示すように、空気ミラーとしてもよい。なお、図６は、本実施形態の変形例における表示体１の詳細な構成を示す図である。また、図６（ｂ）は、図６（ａ）のＢ線矢視図である。
ここで、空気ミラーとは、高屈折率物が空気に接している面で内部反射する構造、すなわち、透明構造体６内部への入射光を、透明構造体６と空気との界面で反射するミラーである。特に、入射角θがｎ１＜ｎ２ｓｉｎθの場合、空気ミラーは、全反射ミラーとなる。なお、上記の「ｎ１」は、空気の屈折率であり、上記の「ｎ２」は、透明直方体１２の屈折率である。
【００３７】
また、微小ミラー１０を空気ミラーとした場合、隣り合う透明直方体１２の間には、空気の層が必要であるが、その幅が透明直方体１２の幅に比べて十分に小さければ、表示への悪影響はない。この場合、例えば、図７中に示すように、予め、表示面４に、透明直方体１２を所定の位置するためのスペーサ１８を形成しておき、スペーサ１８の間に透明直方体１２を配置してもよい。なお、図７は、本実施形態の変形例における表示体１の詳細な構成を示す図である。
また、例えば、図８中に示すように、透明直方体１２は、空気の層を確実に設けるための突起２０を有していてもよい。なお、図８は、本実施形態の変形例における表示体１の詳細な構成を示す図である。
【００３８】
（５）本実施形態の表示体１では、透明直方体１２を、対向する面同士が平行な直方体としたが、これに限定するものではない。すなわち、透明直方体１２は完全な直方体に限定するものではなく、対面が完全に平行である必要はない。これは、例えば、表示面４が大きい場合、各画素２の表示光の視野角が異なるため、表示体１の位置によって見え方が変わってしまう。それを防止するため、透明直方体１２の側面は、表示面４に垂直とはいえ、前面側の幅がやや狭いような補正を加えてもよい。
【００３９】
（第二実施形態）
以下、本発明の第二実施形態（以下、「本実施形態」と記載する）について、図面を参照しつつ説明する。
（構成）
まず、図１から図８を参照しつつ、図９を用いて、本実施形態の表示体１の構成を説明する。なお、図９は、本実施形態における表示体１の概略構成を示す図である。
図９中に示すように、本実施形態の表示体１は、複数の画素２と、表示面４と、透明構造体６を備えている。なお、以下の説明では、上述した第一実施形態と同様の構成については、記載を省略する場合がある。
【００４０】
複数の画素２は、右目用画素２Ｒと、左目用画素２Ｌから形成されている。なお、図９中では、右目用画素２Ｒを示す領域に符号「ｒ」を付し、左目用画素２Ｌを示す領域に符号「ｌ」を付している。
表示面４は、反射型表示面であり、複数の画素２（右目用画素２Ｒ、左目用画素２Ｌ）を配列して形成されている。
【００４１】
また、図９（ｃ）中に示すように、複数の右目用画素２Ｒは、右目用画素列８Ｒを形成しており、複数の左目用画素２Ｌは、左目用画素列８Ｌを形成している。なお、図９（ｃ）は、図９（ａ）のＣ線矢視図である。
右目用画素列８Ｒと左目用画素列８Ｌは、各微小ミラー１０の配列方向に沿って、交互に配置されている。
本実施形態の微小ミラー１０は、上述した第一実施形態と比較して、その幅ｈ（図９中では上下方向への長さ）が大きくなるように形成されている。
その他の構成は、上述した第一実施形態と同様である。
【００４２】
（表示面４に表示された画像の見え方）
図９（ａ）中に示すように、表示面４の右方（角度α’）から観察した場合、ｔａｎα＝ｐ／ｈ付近では、右目用画素２Ｒからの直接光（角度α）及び微小ミラー１０における１回の反射光（角度α）のみが見えるため、観察者からは、右目用画素２Ｒからなる右目用画像のみが観察される。なお、図９（ａ）中には、図１（ａ）と同様、観察者の目を、符号「Ｅ」により示している。また、図９（ａ）中には、図１（ａ）と同様、右目用画像を形成する表示光を、符号Ｖにより示している。
【００４３】
また、図９（ｂ）中に示すように、表示面４の左方から観察した場合、左目用画素２Ｌからの直接光及び微小ミラー１０における１回の反射光が見えるため、観察者からは、左目用画素２Ｌからなる左目用画像のみが観察される。なお、図９（ｂ）中には、図１（ａ）と同様、観察者の目を、符号「Ｅ」により示している。また、図９（ｂ）中には、図１（ｂ）と同様、左目用画像を形成する表示光を、符号Ｖにより示している。
【００４４】
そして、特に図示しないが、表示面４の正面の所定の位置、すなわち、表示面４と直交する方向における所定の位置から表示面４を観察すると、観察者からは、右目用画像と左目用画像とを合成した立体画像が観察される。
なお、上述した「右目用画像」は、観察者が右目で見るため（右目用）の画像であり、請求項及び上述した第一実施形態に記載の「第一画像」に対応している。同様に、上述した「左目用画像」は、観察者が左目で見るため（左目用）の画像であり、請求項及び上述した第一実施形態に記載の「第二画像」に対応している。
【００４５】
（表示体１への光の照射方法）
以下、図１から図９を参照して、表示体１への光の照射方法について説明する。
本実施形態においても、上述した第一実施形態と同様、表示面４が反射型表示体の場合、右目用画素２Ｒも左目用画素２Ｌも同等に光を受ける必要があるため、照射光１４は、図３（ａ）や（ｂ）中に示すように、上〜正面〜下を含む面内の、いずれかの方向から照射することが好適である。また、図３（ｃ）中に示すように、複数の光源１６を用いて、左右対称の位置から、照射光１４を照射してもよい。
一方、表示面４が発光型表示体の場合、照射光１４は不要である。なお、透過型液晶も含めた発光型表示体では、表示光が重要であり、観察方向を想定する必要がある。
【００４６】
（作用）
以下、図１から図９を参照して、本実施形態の作用について記載する。
本実施形態の表示体１では、微小ミラー１０の幅ｈを、上述した第一実施形態と比較して大きく形成しているため、わずかな視野角の差で、右目用画像と左目用画像を表示することが可能となる。
このため、表示面４の正面の所定の位置、すなわち、表示面４と直交する方向における所定の位置から表示面４を観察すると、観察者の右目と前記左目との視差により形成された、右目用画像と左目用画像とを合成した立体画像を、観察者に認識させることが可能となる。
【００４７】
（第二実施形態の効果）
以下、本実施形態の効果を記載する。
（１）本実施形態の表示体１は、透明構造体６及び微小ミラー１０が、共に、平面で構成されているため、曲面を作製する場合と比較して、高い面精度を容易に得ることが可能となるため、高精度の作製が容易となる。
【００４８】
（変形例）
以下、本実施形態の変形例を記載する。
（１）本実施形態の表示体１では、微小ミラー１０が、表示面４と垂直方向に、反射面を有しているが、これに限定するものではない。すなわち、観察者から右目用画像と左目用画像とを合成した立体画像が見える位置に向かって、各微小ミラー１０が、表示面４と直交する方向から傾斜していても良い。
【００４９】
これは、本実施形態の表示体１では、全ての微小ミラー１０が表示面４に対して垂直であると、微小ミラー１０の幅ｈが大きいため、微小ミラー１０を立体画像として見るための位置から遠い部分の画素２が視認できないためである。
そのため、微小ミラー１０の傾きは、立体画像として見える位置から遠いほど大きい方が好適である。特に、図９中に示す構成では、微小ミラー１０は、立体画像として見える位置を中心として、各微小ミラー１０が略中心を向くように傾いていることが好適である。
【００５０】
（第三実施形態）
以下、本発明の第三実施形態（以下、「本実施形態」と記載する）について、図面を参照しつつ説明する。
（構成）
まず、図１から図９を参照しつつ、図１０を用いて、本実施形態の表示体１の構成を説明する。なお、図１０は、本実施形態における表示体１の概略構成を示す図である。
図１０中に示すように、本実施形態の表示体１は、複数の画素２と、表示面４と、透明構造体６を備えている。なお、以下の説明では、上述した第一実施形態と同様の構成については、記載を省略する場合がある。
【００５１】
複数の画素２は、第一画素２ａと、第二画素２ｂから形成されている。なお、図１０中では、第一画素２ａを示す領域に符号「ａ」を付し、第二画素２ｂを示す領域に符号「ｂ」を付している。
表示面４は、反射型表示面であり、複数の画素２（第一画素２ａ、第二画素２ｂ）を配列して形成されている。
透明構造体６は、表示面４の前面（図１０（ａ）及び（ｂ）中では、下側の面）に配置されている。
【００５２】
また、透明構造体６は、表示面４において、隣り合う画素２間またはその付近から垂直方向に突出した複数の微小ミラー１０を有している。
また、図１０（ｃ）中に示すように、複数の第一画素２ａは、第一画素列８ａを形成しており、複数の第二画素２ｂは、第二画素列８ｂを形成している。なお、図１０（ｃ）は、図１０（ａ）のＣ線矢視図である。
第一画素列８ａと第二画素列８ｂは、各微小ミラー１０の配列方向に沿って交互に配置されている。
その他の構成は、上述した第一実施形態と同様である。
【００５３】
（表示面４に表示された画像の見え方）
図１０（ａ）中に示すように、表示面４の右方（角度α’）から、光源１６が照射した照射光１４が入射した場合、第一画素２ａのみが直接光（角度α）及び微小ミラー１０における１回の反射光（角度α）で照射されるため、表示面４の正面、すなわち、表示面４と直交する方向から表示面４を観察する観察者からは、第一画素２ａからなる第一画像のみが観察される。これは、ｎ１ｓｉｎα’＝ｎ２ｓｉｎαの関係を前提とする。
ここで、上記の「ｎ１」は、空気の屈折率であり、上記の「ｎ２」は、透明構造体６の屈折率である。
【００５４】
また、図１０（ｂ）中に示すように、表示面４の左方から、光源１６が照射した照射光１４が入射した場合、第二画素２ｂのみが直接光及び微小ミラー１０における１回の反射光で照射されるため、表示面４の正面、すなわち、表示面４と直交する方向から表示面４を観察する観察者からは、第二画素２ｂからなる第二画像のみが観察される。
（表示体１への光の照射方法）
本実施形態における表示体１への光の照射方法は、図１１中に示すように、表示面４の右方または左方のいずれかから、光源１６が照射した照射光１４を入射させて行う。なお、図１１は、表示体１への光の照射方法を示す図である。
【００５５】
（作用）
以下、図１から図１１を参照して、本実施形態の作用について記載する。
本実施形態の表示体１では、照射光１４の方向によって、観察者には、異なる表示画像が見える。
（第三実施形態の効果）
以下、本実施形態の効果を記載する。
（１）本実施形態の表示体１は、透明構造体６及び微小ミラー１０が、共に、平面で構成されているため、曲面を作製する場合と比較して、高い面精度を容易に得ることが可能となるため、高精度の作製が容易となる。
【００５６】
（第四実施形態）
以下、本発明の第四実施形態（以下、「本実施形態」と記載する）について、図面を参照しつつ説明する。
（構成）
まず、図１から図１１を参照しつつ、図１２及び図１３を用いて、本実施形態の表示体１の構成を説明する。なお、図１２は、本実施形態における表示体１の概略構成を示す図である。また、図１２（ｂ）は、図１２（ａ）のＢ線矢視図であり、図１２（ｃ）及び（ｄ）は、図１２（ｂ）のＣ線矢視図である。同様に、図１２（ａ）及び（ｅ）は、図１２（ｂ）のＡ線矢視図である。
【００５７】
また、図１３は、本実施形態における表示体１の詳細な構成を示す図である。また、図１３（ｂ）は、図１３（ａ）のＢ線矢視図である。
図１２及び図１３中に示すように、本実施形態の表示体１は、表示面４と、透明構造体６を備えている。なお、以下の説明では、上述した第一実施形態と同様の構成については、記載を省略する場合がある。
【００５８】
表示面４は、反射型表示面であり、複数の画素２（第一画素２ａ、第二画素２ｂ、第三画素２ｃ、第四画素２ｄ）を配列して形成されている。
複数の画素２は、第一画素２ａと、第二画素２ｂと、第三画素２ｃと、第四画素２ｄから形成されている。なお、図１２及び図１３中では、第一画素２ａを示す領域に符号「ａ」を付し、第二画素２ｂを示す領域に符号「ｂ」を付している。同様に、図１２及び図１３中では、第三画素２ｃを示す領域に符号「ｃ」を付し、第四画素２ｄを示す領域に符号「ｄ」を付している。
【００５９】
第一画素２ａ、第二画素２ｂ、第三画素２ｃ及び第四画素２ｄは、表示面４と直交する方向から見て、規則的に配列されて正方形のブロックを形成している。このブロックは、各微小ミラー１０が形成する格子状の領域内で形成されている。
本実施形態では、各微小ミラー１０が、表示面４と直交する方向から見て、格子状に形成されているとともに、画素２二行二列分のピッチで配列されている。
【００６０】
具体的には、透明構造体６の内部に、表示面４から垂直に突出させた複数個の微小ミラー１０を格子状に形成する（図１３（ａ）、（ｂ）参照）。この構成は、透明構造体６を、複数個の透明直方体１２により形成し、各微小ミラー１０を、透明直方体１２の全ての側面に配置して実現する。なお、本実施形態では、隣り合う透明直方体１２を、微小ミラー１０を間に挟んで互いに近接させて、透明構造体６を形成する。
【００６１】
ここで、本実施形態では、一例として、微小ミラー１０を、金属ミラーとした場合について説明する。
また、各微小ミラー１０が形成する格子状の領域内において形成されている正方形のブロックは、その左上に第一画素２ａ、右上に第二画素２ｂ、左下に第三画素２ｃ、右下に第四画素２ｄが、それぞれ、規則的に配列されて形成されている。
その他の構成は、上述した第一実施形態と同様である。
【００６２】
（表示面４に表示された画像の見え方）
図１２（ａ）及び図１２（ｃ）中に示すように、表示面４の右下方から、光源１６が照射した照射光１４が入射した場合、第一画素２ａのみが直接光及び微小ミラー１０における１回の反射光で照射されるため、表示面４の正面、すなわち、表示面４と直交する方向から表示面４を観察する観察者からは、第一画素２ａからなる第一画像のみが観察される。
【００６３】
また、図１２（ｃ）及び図１２（ｅ）中に示すように、表示面４の左下方から、光源１６が照射した照射光１４が入射した場合、第二画素２ｂのみが直接光及び微小ミラー１０における１回の反射光で照射されるため、表示面４の正面、すなわち、表示面４と直交する方向から表示面４を観察する観察者からは、第二画素２ｂからなる第二画像のみが観察される。
【００６４】
また、図１２（ａ）及び図１２（ｄ）中に示すように、表示面４の右上方から、光源１６が照射した照射光１４が入射した場合、第三画素２ｃのみが直接光及び微小ミラー１０における１回の反射光で照射されるため、表示面４の正面、すなわち、表示面４と直交する方向から表示面４を観察する観察者からは、第三画素２ｃからなる第三画像のみが観察される。
【００６５】
また、図１２（ｄ）及び図１２（ｅ）中に示すように、表示面４の左上方から、光源１６が照射した照射光１４が入射した場合、第四画素２ｄのみが直接光及び微小ミラー１０における１回の反射光で照射されるため、表示面４の正面、すなわち、表示面４と直交する方向から表示面４を観察する観察者からは、第四画素２ｄからなる第四画像のみが観察される。
【００６６】
（表示体１への光の照射方法）
本実施形態における表示体１への光の照射方法は、図１４中に示すように、表示面４の右下方、左下方、右上方及び左上方のいずれかから、光源１６が照射した照射光１４を入射させて行う。なお、図１４は、表示体１への光の照射方法を示す図である。
（作用）
以下、図１から図１４を参照して、本実施形態の作用について記載する。
本実施形態の表示体１では、照射光１４の方向によって、観察者には、異なる表示画像が見える。
【００６７】
（第四実施形態の効果）
以下、本実施形態の効果を記載する。
（１）本実施形態の表示体１は、透明構造体６及び微小ミラー１０が、共に、平面で構成されているため、曲面を作製する場合と比較して、高い面精度を容易に得ることが可能となるため、高精度の作製が容易となる。
【００６８】
（変形例）
以下、本実施形態の変形例を列挙する。
（１）本実施形態の表示体１では、隣り合う透明直方体１２を、微小ミラー１０を間に挟んで互いに近接させて、透明構造体６を形成したが、これに限定するものではない。すなわち、例えば、図１５中に示すように、予め、表示面４上に、透明直方体１２を所定の間隔で配置するためのスペーサ１８を複数個形成しておき、隣り合うスペーサ１８の間に透明直方体１２を配置して、透明構造体６を形成してもよい。なお、図１５は、本実施形態の変形例における表示体１の詳細な構成を示す図である。
【００６９】
（２）本実施形態の表示体１では、微小ミラー１０を、金属ミラーとしたが、これに限定するものではなく、微小ミラー１０を、図１６中に示すように、空気ミラーとしてもよい。なお、図１６は、本実施形態の変形例における表示体１の詳細な構成を示す図である。また、図１６（ｂ）は、図１６（ａ）のＢ線矢視図である。
ここで、空気ミラーとは、高屈折率物が空気に接している面で内部反射する構造、すなわち、透明構造体６内部への入射光を、透明構造体６と空気との界面で反射するミラーである。特に、入射角θがｎ１＜ｎ２ｓｉｎθの場合、空気ミラーは、全反射ミラーとなる。なお、上記の「ｎ１」は、空気の屈折率であり、上記の「ｎ２」は、透明直方体１２の屈折率である。
【００７０】
また、微小ミラー１０を空気ミラーとした場合、隣り合う透明直方体１２の間には、空気の層が必要であるが、その幅が透明直方体１２の幅に比べて十分に小さければ、表示への悪影響はない。この場合、例えば、図１７中に示すように、予め、表示面４に、透明直方体１２を所定の位置するためのスペーサ１８を形成しておき、スペーサ１８の間に透明直方体１２を配置してもよい。なお、図１７は、本実施形態の変形例における表示体１の詳細な構成を示す図である。
また、例えば、図１８中に示すように、透明直方体１２は、空気の層を確実に設けるための突起２０を有していてもよい。なお、図１８は、本実施形態の変形例における表示体１の詳細な構成を示す図である。
【００７１】
（第五実施形態）
以下、本発明の第五実施形態（以下、「本実施形態」と記載する）について、図面を参照しつつ説明する。
（構成）
まず、図１から図１８を参照しつつ、図１９を用いて、本実施形態の表示体１の構成を説明する。なお、図１９は、本実施形態における表示体１の概略構成を示す図である。また、図１９（ｂ）は、図１９（ａ）のＢ線矢視図であり、図１９（ｃ）及び（ｄ）は、図１９（ｂ）のＣ線矢視図である。同様に、図１９（ａ）及び（ｅ）は、図１９（ｂ）のＡ線矢視図である。
【００７２】
図１９中に示すように、本実施形態の表示体１は、表示面４と、透明構造体６を備えている。なお、以下の説明では、上述した第五実施形態と同様の構成については、記載を省略する場合がある。
表示面４は、反射型表示面であり、画素を構成する複数の画素要素２２を配列して形成されている。
画素要素２２は、カラー画像のサブピクセルであり、複数の画素要素２２は、赤色画素要素２２Ｒと、緑色画素要素２２Ｇと、青色画素要素２２Ｂと、白色画素要素２２Ｗから形成されている。なお、図１９中では、赤色画素要素２２Ｒを示す領域に符号「ｒ」を付し、緑色画素要素２２Ｇを示す領域に符号「ｇ」を付している。同様に、図１９中では、青色画素要素２２Ｂを示す領域に符号「ｂ」を付し、白色画素要素２２Ｗを示す領域に符号「ｗ」を付している。
【００７３】
赤色画素要素２２Ｒ、緑色画素要素２２Ｇ、青色画素要素２２Ｂ及び白色画素要素２２Ｗは、表示面４と直交する方向から見て、規則的に配列されて正方形のブロックを形成している。このブロックは、各微小ミラー１０が形成する格子状の領域内で形成されている。
本実施形態では、各微小ミラー１０が、表示面４と直交する方向から見て、格子状に形成されているとともに、画素２二行二列分のピッチで配列されている。
【００７４】
また、各微小ミラー１０が形成する格子状の領域内において形成されている正方形のブロックは、その左上に赤色画素要素２２Ｒ、右上に緑色画素要素２２Ｇ、左下に青色画素要素２２Ｂ、右下に白色画素要素２２Ｗが、それぞれ、規則的に配列されて形成されている。
また、微小ミラー１０のピッチは、画素要素２２のピッチの整数倍となっている。ここで、「画素要素のピッチ」とは、サブピクセルのピッチと同意義である。
その他の構成は、上述した第五実施形態と同様である。
【００７５】
（表示面４に表示された画像の見え方）
図１９（ａ）及び図１９（ｃ）中に示すように、表示面４の右下方から、光源１６が照射した赤色照射光１４Ｒが入射した場合、赤色画素要素２２Ｒのみが直接光及び微小ミラー１０における１回の反射光で照射される。
また、図１９（ｃ）及び図１９（ｅ）中に示すように、表示面４の左下方から、光源１６が照射した緑色照射光１４Ｇが入射した場合、緑色画素要素２２Ｇのみが直接光及び微小ミラー１０における１回の反射光で照射される。
【００７６】
また、図１９（ａ）及び図１９（ｄ）中に示すように、表示面４の右上方から、光源１６が照射した青色照射光１４Ｂが入射した場合、青色画素要素２２Ｂのみが直接光及び微小ミラー１０における１回の反射光で照射される。
また、図１９（ｄ）及び図１９（ｅ）中に示すように、表示面４の左上方から、光源１６が照射した白色照射光１４Ｗが入射した場合、白色画素要素２２Ｗのみが直接光及び微小ミラー１０における１回の反射光で照射される。
【００７７】
したがって、表示面４の正面、すなわち、表示面４と直交する方向から表示面４を観察する観察者からは、赤色画素要素２２Ｒからなる赤色のモノクロ画像（モノクロ表示）と、緑色画素要素２２Ｇからなる緑色のモノクロ画像（モノクロ表示）と、青色画素要素２２Ｂからなる青色のモノクロ画像（モノクロ表示）と、白色画素要素２２Ｗからなる白色のモノクロ画像（モノクロ表示）から構成されるカラー画像が観察される。
【００７８】
（表示体１への光の照射方法）
本実施形態における表示体１への光の照射方法は、図２０中に示すように、表示面４の右下方から赤色照射光１４Ｒ、左下方から緑色照射光１４Ｇを入射させて行う。さらに、表示面４の右上方から青色照射光１４Ｂ、左上方から白色照射光１４Ｗを入射させて行う。なお、図２０は、表示体１への光の照射方法を示す図である。
ここで、表示体１への、赤色照射光１４Ｒ、緑色照射光１４Ｇ、青色照射光１４Ｂ及び白色照射光１４Ｗの入射は、同時に行う。
【００７９】
（作用）
以下、図１から図２０を参照して、本実施形態の作用について記載する。
本実施形態の表示体１では、表示面４の正面、すなわち、表示面４と直交する方向から表示面４を観察する観察者に、赤色、緑色、青色及び白色から構成される、カラー画像を見せることが可能となる。
（第五実施形態の効果）
以下、本実施形態の効果を記載する。
（１）本実施形態の表示体１は、透明構造体６及び微小ミラー１０が、共に、平面で構成されているため、曲面を作製する場合と比較して、高い面精度を容易に得ることが可能となるため、高精度の作製が容易となる。
【００８０】
（変形例）
以下、本実施形態の変形例を列挙する。
（１）本実施形態の表示体１では、正方形のブロックを、ブロックの左上に配置した赤色画素要素２２Ｒと、ブロックの右上に配置した緑色画素要素２２Ｇと、ブロックの左下に配置した青色画素要素２２Ｂと、ブロックの右下に配置した白色画素要素２２Ｗから形成したが、これに限定するものではない。すなわち、例えば、赤色画素要素２２Ｒをブロックの右上に配置し、緑色画素要素２２Ｇをブロックの左上に配置し、青色画素要素２２Ｂをブロックの右下に配置し、白色画素要素２２Ｗをブロックの左下に配置してもよい。
【００８１】
（２）本実施形態の表示体１では、正方形のブロックを、赤色（Ｒ）、緑色（Ｇ）、青色（Ｂ）、白色（Ｗ）から形成、すなわち、「ＲＧＢＷ」から形成したが、これに限定するものではない。すなわち、正方形のブロックを、例えば、「ＲＲＧＢ」、「ＲＧＧＢ」、「ＲＧＢＢ」、「ＲＧＣＭ」、「ＧＢＭＹ」、「ＢＲＹＣ」、「ＲＣＭＹ」、「ＣＭＹＷ」等から形成してもよい。ここで、上記の「Ｃ」はシアン、「Ｍ」はマゼンタ、「Ｙ」はイエローである。
【００８２】
（実施例）
図１から図２０を参照して、上述した各実施形態にて示した表示体１を製造し、その構成の評価を行った結果について説明する。
（第一実施例）
上述した第一実施形態と同様の構成を有する表示体１を、以下の手順で作製した。
まず、表示面４として、紙に印刷したポスターを用いた。
そして、第一画像と第二画像を交互に表示し、画素２間のピッチを２［ｍｍ］とした。
次に、微小ミラー１０として、Ａｌを透明直方体１２の両側面に１００［ｎｍ］真空蒸着したものを用いた。
一方、透明直方体１２として、アクリルの直方体を射出成型によって形成した。
ここで、透明直方体１２は、幅を４［ｍｍ］、厚さを４［ｍｍ］、屈折率を１．５とした。
【００８３】
そして、透明直方体１２を、ポスター（表示面４）の表面に位置合せしながら、透明な両面テープで固定し、微小ミラー１０付きの透明構造体６を形成した。
上記のように作製した表示体１の正面から、図３中に示すように光を照射した場合、観察者からは、右側α’＝４２［°］方向から見て、第一画像のみが観察され、左側α’＝４２［°］方向から見て、第二画像のみが観察された。そして、観察者からは、正面から見ると、第一画像と第二画像を合成した画像が観察された。
【００８４】
（第二実施例）
微小ミラー１０を金属ミラーとせずに空気ミラーとした点以外は、上述した第一実施例と同様の方法を用いて、表示体１を作製した。
そして、作製した表示体１の正面から光を照射した場合、上述した第一実施例と同様、観察者からは、右側α’＝４２［°］方向から見て、第一画像のみが観察され、左側α’＝４２［°］方向から見て、第二画像のみが観察された。また、上述した第一実施例と同様、観察者からは、正面から見ると、第一画像と第二画像を合成した画像が観察された。
【００８５】
（第三実施例）
上述した第二実施形態と同様の構成を有する表示体１を、以下の手順で作製した。
まず、表示面４としては、有機ＥＬディスプレイを用いた。
そして、第一画像と第二画像を交互に表示し、画素２間のピッチを０．５［ｍｍ］とした。
一方、透明直方体１２として、アクリルの直方体を射出成型によって形成した。
ここで、透明直方体１２は、幅を２３［ｍｍ］、厚さを０．９８［ｍｍ］、屈折率を１．５とした。
【００８６】
また、表示面４である有機ＥＬディスプレイの表面には、二画素ごとに、幅２０［μｍ］、高さ２０［μｍ］のスペーサ１８を形成した。そして、透明直方体１２を、スペーサ１８間に立てて並べ、微小ミラー１０付きの透明構造体６を形成した。
上記のように作製した表示体１を、正面から１［ｍ］離れて両眼で観察した場合、観察者からは、右目で第一画像が見え、左目で第二画像が観察者された。したがって、第一画像として右目用画像を表示し、第二画像として左目用画像を表示することにより、観察者に立体画像を観測させることが可能となった。
【００８７】
（第四実施例）
上述した第三実施形態と同様の構成を有する表示体１を、以下の手順で作製した。
まず、表示面４としては、紙に印刷したポスターを用いた。
そして、第一画像と第二画像を交互に表示し、画素２間のピッチを２［ｍｍ］とした。
次に、微小ミラー１０として、Ａｌを透明直方体１２の両側面に１００［ｎｍ］真空蒸着したものを用いた。
一方、透明直方体１２として、アクリルの直方体を射出成型によって形成した。
ここで、透明直方体１２は、幅を４［ｍｍ］、厚さを４［ｍｍ］、屈折率を１．５とした。
【００８８】
そして、透明直方体１２を、ポスター（表示面４）の表面に位置合せしながら、透明な両面テープで固定し、微小ミラー１０付きの透明構造体６を形成した。
上記のように作製した表示体１に対し、図１１中に示すように、右側α’＝４２［°］方向から光を照射した場合、観察者からは、表示体１の正面から見て、第一画像のみが観察された。一方、左側α’＝４２［°］方向から光を照射した場合、観察者からは、表示体１の正面から見て、第二画像のみが観察された。
【００８９】
（第五実施例）
上述した第四実施形態と同様の構成を有する表示体１を、以下の手順で作製した。
まず、表示面４としては、紙に印刷したポスターを用いた。
そして、第一画像、第二画像、第三画像、第四画像を、それぞれ、正方形をなす四画素単位で表示し、画素２間のピッチを２［ｍｍ］とした。
次に、微小ミラー１０として、Ａｌを透明直方体１２の両側面に１００［ｎｍ］真空蒸着したものを用いた。
【００９０】
一方、図１３中に示すような透明直方体１２として、アクリルの直方体を射出成型によって形成した。
ここで、透明直方体１２は、幅を４［ｍｍ］、厚さを３［ｍｍ］、屈折率を１．５とした。
そして、透明直方体１２を、ポスター（表示面４）の表面に位置合せしながら、透明な両面テープで固定し、微小ミラー１０付きの透明構造体６を形成した。
【００９１】
上記のように作製した表示体１に対し、図１４中に示すように、右下α’＝５６［°］方向から光を照射した場合、観察者からは、表示体１の正面から見て、第一画像のみが観察された。また、左下α’＝５６［°］方向から光を照射した場合、観察者からは、表示体１の正面から見て、第二画像のみが観察された。さらに、右上α’＝５６［°］方向から光を照射した場合、観察者からは、表示体１の正面から見て、第三画像のみが観察された。また、左上α’＝５６［°］方向から光を照射した場合、観察者からは、表示体１の正面から見て、第四画像のみが観察された。
【００９２】
（第六実施例）
上述した第五実施形態と同様の構成を有する表示体１を、以下の手順で作製した。
まず、表示面４としては、電気泳動型の電子看板を用いた。
そして、赤色のモノクロ画像、緑色のモノクロ画像、青色のモノクロ画像、白色のモノクロ画像を、それぞれ形成するサブピクセルをモノクロ表示し、サブピクセル間のピッチを２［ｍｍ］とした。
次に、微小ミラー１０として、Ａｌを透明直方体１２の四つの側面に１００［ｎｍ］真空蒸着したものを用いた。
【００９３】
一方、図１３中に示すような透明直方体１２として、アクリルの直方体を射出成型によって形成した。
ここで、透明直方体１２は、幅を４［ｍｍ］、厚さを３［ｍｍ］、屈折率を１．５とした。
そして、透明直方体１２を、ポスター（表示面４）の表面に位置合せしながら、透明な両面テープで固定し、微小ミラー１０付きの透明構造体６を形成した。
【００９４】
上記のように作製した表示体１に対し、図２０中に示すように、右下α’＝５６［°］方向から赤色照射光１４Ｒ、左下α’＝５６［°］方向から緑色照射光１４Ｇ、右上α’＝５６［°］方向から青色照射光１４Ｂ、左上α’＝５６［°］方向から白色照射光１４Ｗを、全て、同時に照射した場合、観察者からは、表示体１の正面から見て、赤色、緑色、青色及び白色から構成される、カラー画像が観察された。
【符号の説明】
【００９５】
１    表示体
２    画素（第一画素２ａ、第二画素２ｂ、右目用画素２Ｒ、左目用画素２Ｌ、第三画素２ｃ、第四画素２ｄ）
４    表示面
６    透明構造体
８    画素列（第一画素列８ａ、第二画素列８ｂ、右目用画素列８Ｒ、左目用画素列８Ｌ）
１０  微小ミラー
１２  透明直方体
１４  照射光
１６  光源
１８  スペーサ
２０  突起
２２  画素要素（赤色画素要素２２Ｒ、緑色画素要素２２Ｇ、青色画素要素２２Ｂ、白色画素要素２２Ｗ）
２４  レンチキュラーレンズ
２６  パララックスバリア
Ｖ  表示光
ｈ    微小ミラー１０の幅
Ｅ    観察者の目
【図１】
0005533496.tif 000002
【図２】
0005533496.tif 000003
【図３】
0005533496.tif 000004
【図４】
0005533496.tif 000005
【図５】
0005533496.tif 000006
【図６】
0005533496.tif 000007
【図７】
0005533496.tif 000008
【図８】
0005533496.tif 000009
【図９】
0005533496.tif 000010
【図１０】
0005533496.tif 000011
【図１１】
0005533496.tif 000012
【図１２】
0005533496.tif 000013
【図１３】
0005533496.tif 000014
【図１４】
0005533496.tif 000015
【図１５】
0005533496.tif 000016
【図１６】
0005533496.tif 000017
【図１７】
0005533496.tif 000018
【図１８】
0005533496.tif 000019
【図１９】
0005533496.tif 000020
【図２０】
0005533496.tif 000021
【図２１】
0005533496.tif 000022
【図２２】
0005533496.tif 000023